(57)【特許請求の範囲】
【請求項１】
三点位置に連結部を有する三点リンク昇降連結部をトラクター操縦席での操作により前記連結部が昇降するようにトラクター後部に設けているトラクターの後方にトレーラーを連結するトレーラー連結装置であって、基体の前部に前記三点位置の各連結部に連結し得る連結部を有する三点連結部を設け、この基体の後部に、トラクター後方へ向けて突出配設されトレーラーのトレーラー側連結部に左右回動自在に連結し得るトレーラー牽引連結部を設け、且つ前記トレーラー側連結部とトレーラー牽引連結部を上下回動自在に枢着することで互いを連結したまま上方へヘ字状に折曲自在となるように構成したことを特徴とするトラクターの後方にトレーラーを連結するトレーラー連結装置。
【発明の詳細な説明】
【０００１】
【発明の属する技術分野】
本発明は、トラクターの後方にトレーラーを連結するトレーラー連結装置に係るものである。
【０００２】
【従来の技術及び発明が解決しようとする課題】
トラクターの後方には、作業用途に応じてロータリーや整地キャリアなど様々な作業装置を連結するが、最近規格の違う作業装置であっても、あるいは規格の違うトラクターに対しても連結できるようにトラクターの後部に三点リンクと称される三点リンク昇降連結部を設け、作業装置側にこの三点リンク昇降連結部と連結する三点連結部を設けている。
【０００３】
しかしながら、従来例えばトレーラーを左右回動自在に連結してトラクターで牽引する場合には、トラクター後部に設けた牽引連結部にトレーラーの前端に設けたトレーラー側連結部を左右回動自在に枢着連結するが、前述のようにトラクターの後部に三点リンク昇降連結部が設けられているために、この牽引連結部は、この三点リンク昇降連結部よりもトラクター側の奥まった位置に配されている。
【０００４】
即ち、従来トラクターＸの後方にトレーラーＹを牽引連結する場合に、図７に示すように牽引連結部15が奥まったトラクター側に位置するため非常に連結しづらい。
【０００５】
即ち、前記トラクターＸの後部には三点リンク昇降連結部１があるため、これを避けながらこのやや下方の（後方より見て）奥まった位置に、トレーラー前方に突出した連結杆14を配して連結杆14の先端のトレーラー側連結部４と連結しなくてはならず、前記三点リンク昇降連結部１が邪魔となり、この三点リンク昇降連結部１をわざわざ上方へ退避上昇させたり、場合によってはいちいちこの三点リンク昇降連結部１を取り外したりしなければならない。
【０００６】
また、トラクターＸの後部には大きな後輪６が左右に対設されており、この後輪６間に前記牽引連結部15があるため、一層連結しづらいだけでなく、図８に示すように左右にこの大きな後輪６があるため、トレーラーＹを左右回動自在に枢着連結しても、枢着連結部がこの後輪６間の奥まった位置にあるため、この後輪６に規制されてトレーラーＹがトラクターＸに対して左右に傾動走行できる角度が規制されることになり、トラクターがわずかな角度しか回れずトラクターのカーブ走行がスムーズにいかなかったり、小回りがきかないことにもなる。
【０００７】
本発明は、トレーラーの連結において、このような問題があることを見い出し、トレーラーもこの三点リンクを利用して連結でき、しかも後輪による規制も少なくトラクターに対して左右に大きく傾斜した傾斜走行が可能となり、更に三点リンク昇降連結部をトラクター操縦席の操作で上昇させることによりそのままトレーラーＹを後方へ傾斜させることができ、積載物を後方へ排出することも可能な画期的なトラクターの後方にトレーラーを連結するトレーラー連結装置を提供することを目的としている。
【０００８】
【課題を解決するための手段】
添付図面を参照して本発明の要旨を説明する。
【０００９】
三点位置に連結部１Ａ・１Ｂ・１Ｃを有する三点リンク昇降連結部１をトラクター操縦席での操作により前記連結部１Ａ・１Ｂ・１Ｃが昇降するようにトラクター後部に設けているトラクターＸの後方にトレーラーＹを連結するトレーラー連結装置であって、基体２の前部に前記三点位置の各連結部１Ａ・１Ｂ・１Ｃに連結し得る連結部３Ａ・３Ｂ・３Ｃを有する三点連結部３を設け、この基体２の後部に、トラクターＸ後方へ向けて突出配設されトレーラーＹのトレーラー側連結部４に左右回動自在に連結し得るトレーラー牽引連結部５を設け、且つ前記トレーラー側連結部４とトレーラー牽引連結部５を上下回動自在に枢着することで互いを連結したまま上方へヘ字状に折曲自在となるように構成したことを特徴とするトラクターの後方にトレーラーを連結するトレーラー連結装置に係るものである。
【００１０】
【発明の実施の形態】
好適な本発明の実施の形態（発明をどのように実施するか）を、図面に基づいてその作用効果を示して簡単に説明する。
【００１１】
基体２の前部の三点連結部３の各連結部３Ａ・３Ｂ・３Ｃを、トラクター後部の三点リンク昇降連結部１の各連結部１Ａ・１Ｂ・１Ｃに連結する。
【００１２】
これにより基体２の後部はトラクター後方に突出状態に配されることになり、この基体２の後部に設けたトレーラー牽引連結部５にトレーラー側連結部４を左右回動自在に枢着連結する。
【００１３】
従って、ロータリーや整地キャリアなどの作業装置と同様にトレーラーＹも簡単に牽引連結できると共に、この枢着連結部は、トラクターＸの後方の三点リンク昇降連結部１から更に後方へ突出した位置に配することができるので、従来の奥まった位置で枢着連結する場合に比べて、連結作業が容易となる上に、後輪６の規制を受けずトラクターＸに対して左右に大きく傾動走行でき、トラクターＸに対して側方へ略９０度走行向きが傾動した状態ともなり得るようにも設計可能となり、トラクターＸのカーブ走行もスムーズとなり、トラクターＸの小回り走行が良好となる。
【００１４】
また、三点リンク昇降連結部１と連結するため、トラクター操縦席で三点リンク昇降連結部１を上昇させると、トレーラーＹの前部が持ち上げられることになり、例えばトレーラーＹ上の積載物をトレーラーＹ後方に排出できる等便利となる。
【００１５】
【実施例】
本発明の具体的な実施例について図面に基づいて説明する。
【００１６】
本実施例は、三点位置に連結部１Ａ・１Ｂ・１Ｃを有する三点リンク昇降連結部１をトラクター操縦席での操作により前記連結部１Ａ・１Ｂ・１Ｃが昇降するようにトラクター後部に設けているトラクターＸとトレーラーＹとを連結するものであるが、既存のこの三点リンク昇降連結部１を利用してトレーラーＹを簡単に牽引連結できるものである。
【００１７】
この三点リンク昇降連結部１は、既存のものであり、詳しい説明は省略するが、図２，図３，図４に示すように、下部左右のロアリンク７Ａ，７Ｂと上部のトップリンク７Ｃとからなり、この各リンクの先端に係止連結できる各連結部１Ａ・１Ｂ・１Ｃが設けられており、トラクター基端側のシリンダー装置８のロッド８Ａの進退により各リンク７Ａ・７Ｂ・７Ｃを介して先端の連結部１Ａ・１Ｂ・１Ｃが昇降する構成で、このシリンダー装置８の駆動をトラクター操縦席で操作するように構成したものである。
【００１８】
一方、本実施例では、前後方向に長さを有する筒体状の基体２の前部に前記三点位置の各連結部１Ａ・１Ｂ・１Ｃに連結し得る連結部３Ａ・３Ｂ・３Ｃを有する三点連結部３を設けている。
【００１９】
具体的には、この基体２の前端に左右腕杆と上方腕杆とを連設し、補強のため基体２と各腕杆並びに腕杆同志に補強桟杆を架設している。この各腕杆の先端に前記連結部３Ａ・３Ｂ・３Ｃを設けて、前記三点リンク昇降連結部１の各連結部１Ａ・１Ｂ・１Ｃに相対する位置となるように設けている。
【００２０】
各連結部３Ａ・３Ｂ・３Ｃは、係止杆を夫々設け、この係止杆を夫々各連結部１Ａ・１Ｂ・１Ｃに係合連結させる構造としている。
【００２１】
具体的には、まず上方の連結部３Ｃを連結部１Ｃに引っ掛け係合した上で、下部左右の連結部３Ａ・３Ｂを連結部１Ａ・１Ｂに係止させ、ロックレバー９を操作することにより連結部１Ａ・１Ｂ・１Ｃから連結部３Ａ・３Ｂ・３Ｃが抜け止め状態となり連結ロックされるように構成している。
【００２２】
また、この基体２の後部に、トラクターＸ後方へ向けて突出配設され、トレーラーＹのトレーラー側連結部４に左右回動自在に連結し得るトレーラー牽引連結部５を設けている。
【００２３】
具体的には、筒体状の基体２の後端に連結筒10を差し込み連結し、この連結筒10の後端にはチャンネル状の取付金具11が基体２に対して回動自在に設けられ、この取付金具11に左右回動自在に取付ブロック12が嵌合枢着されている。
【００２４】
この取付ブロック12をトレーラーＹの前方へ突設されているトレーラー側連結部４と上下折曲自在に連結し得るように構成している。
【００２５】
具体的には、トレーラーＹの前方へ突設されている連結杆14の先端にはチャンネル状の連結金具13が設けられており、この連結金具13に取付ブロック12を嵌合して枢着する構成とし、トレーラー側連結部４とトレーラー牽引連結部５との連結構造を連結したまま上方へヘ字状に折曲自在となるように構成している。
【００２６】
従って、基体２の前部の三点連結部３の各連結部３Ａ・３Ｂ・３Ｃを、トラクター後部の三点リンク昇降連結部１の各連結部１Ａ・１Ｂ・１Ｃに連結する。
【００２７】
これにより基体２の後部はトラクター後方に後輪６間位置より大きく突出状態に配されることになり、この基体２の後部に設けたトレーラー牽引連結部５にトレーラー側連結部４を左右回動自在にして上下折曲自在に枢着連結する。
【００２８】
従って、ロータリーや整地キャリアなどの作業装置と同様にトレーラーＹも簡単に牽引連結できると共に、この枢着連結部は、トラクターＸの後方の三点リンク昇降連結部１から更に後方へ突出した位置に配することができるので、従来の奥まった位置で枢着連結する場合に比べて、連結作業が容易となる上に、後輪６の規制を受けずトラクターＹに対して左右に大きく傾動走行でき、図６に示すように、トラクターＸに対して側方へ略９０度走行向きが傾動した状態ともなり得るようにも設計可能となり、トラクターＸのカーブ走行もスムーズとなり、トラクターの小回り走行が良好となる。
【００２９】
また、三点リンク昇降連結部１と連結するため、トラクター操縦席で三点リンク昇降連結部１を上昇させると、図５に示すようにトレーラーＹの前部が持ち上げられることになり、トレーラーＹ上の積載物をトレーラーＹ後方に排出でき、非常に便利となる。
【００３０】
【発明の効果】
本発明は上述のように構成したから、ロータリーや整地キャリアなどの作業装置と同様にトレーラーも簡単に牽引連結できると共に、この枢着連結部は、トラクターの後方の三点リンク昇降連結部から更に後方へ突出した位置に配することができるので、従来の奥まった位置で枢着連結する場合に比べて、連結作業が容易となる上に、後輪の規制を受けずトラクターに対して左右に大きく傾動走行でき、トラクターのカーブ走行もスムーズとなり、トラクターの小回り走行が良好なトラクターの後方にトレーラーを連結するトレーラー連結装置となる。
【００３１】
また、三点リンク昇降連結部をトラクター操縦席の操作で上昇させることによりそのままトレーラーＹを後方へ傾斜させることができ、積載物を後方へ排出できる極めて実用性に秀れたトラクターの後方にトレーラーを連結するトレーラー連結装置となる。
【図面の簡単な説明】
【図１】  本実施例の斜視図である。
【図２】  本実施例の取り付け手順を示す説明斜視図である。
【図３】  本実施例の使用状態を示す説明側面図である。
【図４】  本実施例の三点リンク昇降連結部の概略説明図である。
【図５】  本実施例の使用状態における三点リンク昇降連結部を上昇して積載物を排出させている状態の説明側面図である。
【図６】  本実施例のトラクターに対してトレーラーが側方へ大きく傾動走行する場合を示す説明平面図である。
【図７】  従来例のトラクター後方の奥まった位置にトレーラーを連結して牽引する場合の説明側面図である。
【図８】  従来例の図７において、後輪が邪魔となってトラクターに対してトレーラーが側方へわずかしか傾動走行できないことを示す説明平面図である。
【符号の説明】
Ｘ  トラクター
Ｙ  トレーラー
１  三点リンク昇降連結部
１Ａ・１Ｂ・１Ｃ  連結部
２  基体
３  三点連結部
３Ａ・３Ｂ・３Ｃ  連結部
４  トレーラー側連結部
５  トレーラー牽引連結部
【図１】
0003677354.tif 000002
【図２】
0003677354.tif 000003
【図３】
0003677354.tif 000004
【図４】
0003677354.tif 000005
【図５】
0003677354.tif 000006
【図６】
0003677354.tif 000007
【図７】
0003677354.tif 000008
【図８】
0003677354.tif 000009